(57)【要約】      （修正有）【課題】ツエナダイオードの前に切り替えスイッチが設けることにより、コストの高いツエナダイオード及び発光ダイオードを保護し、発光ダイオード回路構造のコスト低減を図った発光ダイオード保護改良構造を提供する。【解決手段】発光ダイオード保護改良構造は、発光ダイオード部１と切り替え部２とを備える。前記切り替え部は、スイッチ本体２１と、補助回路２３と、ツエナダイオード２２とを有し、前記切り替え部が並列し且つ前記ツエナダイオードが前記発光ダイオード部に逆方向に電気的に接続され、前記スイッチ本体が第１位置に位置され前記ツエナダイオードと前記発光ダイオード部とを電気的に導通させ、並びに、前記スイッチ本体が第２位置に位置され前記補助回路と前記発光ダイオード部とを導通させることができる。【選択図】図１Ａ
0003163622.tif 000002
【実用新案登録請求の範囲】
【請求項１】
発光ダイオード部と、
スイッチ本体と、補助回路と、ツエナダイオードとを有する切り替え部とを備え、
前記切り替え部が並列し且つ前記ツエナダイオードが前記発光ダイオード部に逆方向に電気的に接続され、前記スイッチ本体が第１位置に位置され前記ツエナダイオードと前記発光ダイオード部とを導通させ、並びに、前記スイッチ本体が第２位置に位置され前記補助回路と前記発光ダイオード部とを導通させる発光ダイオード保護改良構造。
【請求項２】
前記発光ダイオード部は、直列で互いに電気的に接続される少なくとも一つの発光ダイオードを有することを特徴とする請求項１に記載の発光ダイオード保護改良構造。
【請求項３】
前記発光ダイオード部は、並列で互いに電気的に接続される複数の発光ダイオードを有することを特徴とする請求項１に記載の発光ダイオード保護改良構造。
【請求項４】
前記発光ダイオード部は、複数の直列発光ダイオード列を有し、前記複数の直列発光ダイオード列が並列で互いに電気的に接続され、直列発光ダイオード列ごとは、直列で互いに電気的に接続される少なくとも一つの発光ダイオードを有することを特徴とする請求項１に記載の発光ダイオード保護改良構造。
【考案の詳細な説明】
【技術分野】
【０００１】
本考案は、発光ダイオード保護改良構造に係り、特に、切り替えスイッチとツエナダイオードとを有する発光ダイオード保護改良構造に関るものである。
【背景技術】
【０００２】
エジソンが電球を発明して以来、照明は、人類にとって日常生活に欠かせない必要品となってきて、その後に蛍光ランプの発明に伴い、人類はさらに照明の水準を徐々に高く上げてきた。１９６０年以来、発光ダイオードの発明は、人類の照明の新たな歴史の一幕がさらに作られ、省電力や、寿命が長い、発熱し難い優れた特性は、照明業界に新たな希望をもたらすが、技術上のネックのため、１９９３年になってから日亜化学工業により量産用の青色発光ダイオードを開発した後に、人類の視覚上の三原色、すなわち、赤、緑、青を全て揃えるようになったことから、発光ダイオードの適用範囲がより幅広くなった。
【０００３】
しかし、製造過程または使用中において、一般の電子部品のように、発光ダイオードも、静電気の放電、スパイクまたは突入電流などの操作電源と異なる現象による破壊を受け易く、特に、GaN系の発光ダイオード製品（青色、緑色、白色および紫外線を含み）は、GaN自体の材料の原因で、静電気への抵抗力が弱く、使用過程において静電気による破壊を受け易い。そのため、発光ダイオードが製造過程または使用中において静電気放電による破壊をどうすれば避けられるかが、発光ダイオードの設計、使用上における非常に大事な考え要因の一つである。
【０００４】
そのため、多くのメーカは、発光ダイオード回路を設計する時に、いずれもツエナダイオード（Zener diode）を別に加え、また、発光ダイオードとツエナダイオードとを互いに並列して逆方向に電気的に接続されるように行なってきた。通常の場合、正方向稼働電圧が入力されると、この入力電圧が発光ダイオードを導通して発光させるが、ツエナダイオードを通さない。しかし、静電気の放電、スパイクまたは突入電流などの操作電源と異なる現象がある場合には、非常に大きな入力電圧を生じ、ツエナダイオードを潰してしまい、電流の大部分がツエナダイオードに通過し、発光ダイオードに通過しないことになる。
【０００５】
しかしながら、ツエナダイオードの製造工程の面ではやや複雑で、そのコストが下げ難いので、どうすれば発光ダイオード及びツエナダイオードが破壊されないように防ぎ、コストを下げることは、今までに業者にとって解決方法を早くも探し出して改善していくことを望んでいるところである。
【考案の概要】
【考案が解決しようとする課題】
【０００６】
本考案の目的は、ツエナダイオードの前に切り替えスイッチが設けられることにより、コストの高いツエナダイオード及び発光ダイオードを保護し、発光ダイオード回路構造のコストを低下させる効果に達する発光ダイオード保護改良構造を提供することにある。
【課題を解決するための手段】
【０００７】
前記目的を達成するため、本考案に係る発光ダイオード保護改良構造は、発光ダイオード部と切り替え部とを備える。前記切り替え部は、スイッチ本体と、補助回路と、ツエナダイオードとを有し、前記切り替え部が並列し且つ前記ツエナダイオードが前記発光ダイオード部に逆方向に電気的に接続され、前記スイッチ本体が第１位置に位置され前記ツエナダイオードと前記発光ダイオード部とを電気的に導通させ、並びに、前記スイッチ本体が第２位置に位置され前記補助回路と前記発光ダイオード部とを電気的に導通させることができる。
【０００８】
本考案の好ましい実施例では、前記発光ダイオード部は、直列で互いに電気的に接続された少なくとも一つの発光ダイオードを有し、勿論、複数の発光ダイオードを並列で互いに電気的に接続されても良い。異なる発光ダイオード回路構造に応じるため、前記発光ダイオード部は、複数の直列発光ダイオード列を有し、前記複数の直列発光ダイオード列が並列で互いに電気的に接続され、直列発光ダイオード列ごとは、直列で互いに電気的に接続された少なくとも一つの発光ダイオードを備える。
【０００９】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１０】
【図１Ａ】本考案に係る発光ダイオード保護改良構造の第１の好ましい実施例の第1位置にするスイッチ本体を示す回路図である。
【図１Ｂ】本考案に係る発光ダイオード保護改良構造の第１の好ましい実施例の第２位置にするスイッチ本体を示す回路図である。
【図２Ａ】本考案に係る発光ダイオード保護改良構造の第２の好ましい実施例の第1位置にするスイッチ本体を示す回路図である。
【図２Ｂ】本考案に係る発光ダイオード保護改良構造の第２の好ましい実施例の第２位置にするスイッチ本体を示す回路図である。
【図３Ａ】本考案に係る発光ダイオード保護改良構造の第３の好ましい実施例の第1位置にするスイッチ本体を示す回路図である。
【図３Ｂ】本考案に係る発光ダイオード保護改良構造の第３の好ましい実施例の第２位置にするスイッチ本体を示す回路図である。
【考案を実施するための形態】
【００１１】
図１Ａ及び図１Ｂは、本考案に係る発光ダイオード保護改良構造の第１の好ましい実施例を示す回路図である。図１Ａ及び図１Ｂに示すように、本考案に係る発光ダイオード（LED）保護改良構造は、発光ダイオード部1と切り替え部2とを備える。本好ましい実施例では、説明し易くするため、ここで、単一の発光ダイオード１１のみ示すが、勿論、少なくとも一つの発光ダイオード１１を直列で互いに電気的に接続されるように設計しても良い、発光ダイオード１１は、GaN系の発光ダイオードである。切り替え部２は、スイッチ本体２１と補助回路２３とツエナダイオード２２とを有し、切り替え部２が並列し且つツエナダイオード２２が発光ダイオード部１に逆方向に電気的に接続され、スイッチ本体２１が第１位置９１に位置されツエナダイオード２２と発光ダイオード部１とを電気的に導通させ、並びに、スイッチ本体２１が第２位置９２に位置され補助回路２３と発光ダイオード部１とを電気的に導通させる。
【００１２】
本考案に係る発光ダイオード（LED）保護改良構造は、通常の場合に、スイッチ本体２１がいずれも第１位置９１に位置され、ツエナダイオード２２と発光ダイオード部１とを電気的に導通させるので、入力された入力電圧が発光ダイオード部1の両端に順方向バイアスを自然に形成して電流を導通させた場合には、発光ダイオード１１を作動して光を投射させるが、切り替え部２の両端に逆方向バイアスを形成してショート状態になる。静電気の放電、スパイクまたは突入電流などの操作電源と異なる現象がある場合には、非常に大きな瞬間入力電圧が生じられるが、ツエナダイオード２２を潰すまではまだできておらず、この時、スイッチ本体２１が第１位置９１に位置されたため、ツエナダイオード２２と発光ダイオード部１とを電気的に導通させ、ツエナダイオード２２が潰してしまい、電流の大部分をツエナダイオード２２に通過させ、発光ダイオード１１に通過しないことになり、発光ダイオード１１を保護する効果に達する。しかし、瞬間入力電圧が大き過ぎてツエナダイオード２２の崩壊電圧を超えた場合には、ツエナダイオード２２が損壊されるようになるので、スイッチ本体２１が第２位置９２に位置され、補助回路２３と発光ダイオード部１とを電気的に導通させ、瞬間入力電圧全部が補助回路２３に通過し、本考案に係る発光ダイオード回路構造を保護する。次に、瞬間入力電圧全部が補助回路２３に通過した後に、正常まで回復され、スイッチ本体２１が第１位置９１に位置され、ツエナダイオード２２と発光ダイオード部１とを電気的に導通させる状態まで回復される。
【００１３】
以下に説明する本考案の他の好ましい実施例では、部品の大部分が前記実施例と同一または類似するので、同一または類似の部材に同じ符号と名称とを与え、繰り返し詳しく説明しないが、元の符号の後に英文字だけを加えて区別させることを前もって述べる。図２Ａ及び図２Ｂは、本考案に係る発光ダイオード保護改良構造の第２の好ましい実施例を示す回路図である。図２Ａ及び図２Ｂに示すように、異なる発光ダイオード回路構造に応じるため、発光ダイオード部１ａは、複数の発光ダイオード１１を並列で互いに電気的に接続されても良い。図３Ａ及び図３Ｂは、本考案に係る発光ダイオード保護改良構造の第３の好ましい実施例を示す回路図である。図３Ａ及び図３Ｂに示すように、本好ましい実施例では、発光ダイオード部１ｂは、複数の直列発光ダイオード列１０を有し、複数の直列発光ダイオード列１０が並列で互いに電気的に接続され、複数の直列発光ダイオード列１０ごとは、直列で互いに電気的に接続された少なくとも一つの発光ダイオードを備える。
【００１４】
しかし、以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００１５】
１、１ａ、１ｂ発光ダイオード部
１０直列発光ダイオード列
１１発光ダイオード
２切り替え部
２１スイッチ本体
２２ツエナダイオード
２３補助回路
９１第1位置
９２第２位置
【図１Ａ】
0003163622.tif 000003
【図１Ｂ】
0003163622.tif 000004
【図２Ａ】
0003163622.tif 000005
【図２Ｂ】
0003163622.tif 000006
【図３Ａ】
0003163622.tif 000007
【図３Ｂ】
0003163622.tif 000008